(57)【要約】【課題】遊戯機に対する不正を施す余地を狭めると共に、遊戯機への実装が容易になるようにする。【解決手段】モータ内蔵用発射制御基板６０において、前述した基準信号発生回路４４、励磁信号発生回路４６、駆動回路４８を設けるようにしている。又、該モータ内蔵用発射制御基板６０を発射モータ１０１と共に、一体構造として構成する。配線の短縮や露出抑制により、遊戯機の外部から不正に加えられる高電圧や電波による悪影響や、不正な改造をする余地を抑えることが可能となる。【選択図】図５
2007029285.tif 000002
【特許請求の範囲】
【請求項１】
遊戯球を連続発射する機械機構を駆動するための発射モータと、
前記連続発射の速度を設定する基準信号発生回路と、
該連続発射速度に応じた回転速度で該発射モータが回転するように、該発射モータの励磁を制御する信号を出力する励磁信号発生回路と、
該励磁制御信号に従って、該発射モータの励磁電流を制御する駆動回路との、
少なくともこれら回路及び発射モータが、一体構造で構成され、
又、少なくともこれら回路及び発射モータの間の配線が、外部に露出しないようにされていると共に、
遊技機に内蔵され取り付けられた状態では、前記一体構造の分解、及び前記露出が、困難な構造とされる一方、
遊技機から取り外された状態では、該分解及び該露出の少なくとも一部が、容易な構造とされ、遊技機に内蔵されることを特徴とする制御基板一体型モータ。
【発明の詳細な説明】
【技術分野】
【０００１】
本発明は、遊戯機に対する不正を施す余地を狭めると共に、遊戯機への実装が容易になるようにすることができる、遊戯機の発射モータに用いる制御基板一体型モータに関する。
【背景技術】
【０００２】
図１は、一般的な従来例である遊技機の一例の正面図である。図２は、遊戯盤を含めた前面の全体に及ぶ扉部を開いた、該遊技機の正面図である。
【０００３】
図１に示すように、遊技機の正面右下には、人の手が触れたことを検出するハンドル・タッチスイッチ２０、又発射動作を一時的に停止させる操作をするための一時停止スイッチ２１が設けられている。
【０００４】
又、図２に示すように、該遊戯機の発射装置１００、特にカムの回転機構により発射杵を回転させ、遊戯球を次々に弾発する発射装置１００は、その機械的な機構部分の他に、駆動源である発射モータ１０１と、発射制御基板１０４とを備えている。
【０００５】
図３は、発射制御基板１０４を中心とした制御構成を示すブロック図である。図４は、発射制御基板１０４及び発射モータ１０１の外見を示す図である。
【０００６】
図３において、まず主基板３０は、遊技機の全体的な制御を行う。払出制御基板８８は内蔵する払出制御回路３４により、主基板３０から入力される信号などに基づいて遊技機の諸状態を判断し、発射許可信号を発射制御基板１０４へ出力する。又、電源基板３２は、遊技機の外部設備から交流電源の供給を受け、これら主基板３０、払出制御基板８８、発射制御基板１０４などへ直流電源を供給する。なお、この図３において、又後述する図５や図６のブロック図においても、図中の太線の矢印は、電源基板３２や補助電源回路５０から該当部への電源供給を示す。
【０００７】
発射制御基板１０４は、基準信号発生回路４４と、駆動ＯＮ／ＯＦＦ回路４２と、励磁信号発生回路４６と、駆動回路４８とを有している。又、該発射制御基板１０４は、図４のように通常は所定のケース１０４ａに内蔵され、例えば図示されるＩＣ１〜ＩＣ６などを用いて構成され、発射モータ１０１から引き出されているケーブル先端のコネクタ１０１ｂが接続される。該ケーブルを流れる励磁電流によって、発射モータ１０１の回転軸１０１ａが回転することになる。
【０００８】
遊技機に関連した諸法規によって、遊戯球の連続発射の速度には制限がある。基準信号発生回路４４は、該制限となる、連続発射の速度を内部において設定する。駆動ＯＮ／ＯＦＦ回路４２は、払出制御基板８８からの前述の発射許可信号により発射許可が入力され、ハンドル・タッチスイッチ２０から人手接触が検出され、一時停止スイッチ２１から発射動作一時的停止の操作がない旨入力されると、励磁信号発生回路４６へと発射信号を出力する。
【０００９】
本従来例では、発射モータ１０１は、パルスモータ、ステッピングモータなどと称するモータを用いている。
【００１０】
励磁信号発生回路４６は、駆動ＯＮ／ＯＦＦ回路４２から前述の発射信号を入力すると、基準信号発生回路４４において設定されている連続発射速度に応じた回転速度で、発射モータ１０１が回転するように、該発射モータ１０１の励磁を制御する信号を、駆動回路４８に出力する。
【００１１】
駆動回路４８は、該励磁制御信号に従って、該発射モータの励磁電流を制御する。該励磁電流によって、コネクタ１０１ｂにより駆動回路４８に接続されている発射モータ１０１は一定回転速度にて回転し、前述のように発射杵によって遊戯球が次々に弾発され、規定の連続発射速度にて遊戯球が発射される。
【００１２】
なお、本従来例のごとく、発射制御基板１０４は、発射モータ１０１に接近配置されることが多い。又、ハンドル・タッチスイッチ２０及び一時停止スイッチ２１は、ハンドルユニットなどとして構成されている。特許文献１では、このようなスイッチ類のコネクタが不用意に外れて、正常な遊戯ができなくなることを防ぐための技術が開示されている。特許文献２では、遊技機を上部ユニット及び下部ユニットなどとして分割可能とし、遊戯機の運搬、設置、配線処理の作業を容易に行えるようにするという技術が開示されている。
【００１３】
【特許文献１】特開２００５−７２０８号公報
【特許文献２】特開２００５−２８０８２号公報
【発明の開示】
【発明が解決しようとする課題】
【００１４】
ここで、従来、発射モータに関しては、以下のような種々の問題がある。
【００１５】
まず、前述のように、諸法規によって制限されている、遊戯球の連続発射の速度が速くなるように、発射モータ１０１の回転速度が速くなるような、不正な改造をする余地が存在し得るという問題がある。該回転速度は、発射制御基板１０４の基準信号発生回路４４において設定されている。又、該発射制御基板１０４は、図４のような構造であるので、発射制御基板１０４に改造を施したり、不正な別の発射制御基板１０４に交換したりする細工の可能性も少なからず存在する。
【００１６】
あるいは、遊戯機の外部から不正に加えられる高電圧や電波によって、発射モータ１０１の回転に関連した誤動作が生じ得る可能性もあった。例えば、このような不正な高電圧や電波によって、図４において、コネクタ１０１ｂから発射モータ１０１までのケーブルに、異常電圧が発生し、これが発射制御基板１０４内部の回路に影響を与えるといった可能性も考えられなくもない。
【００１７】
更に、これらの問題とは性質が異なる課題としては、遊戯機内部の諸ユニットや装置の実装に関するものがある。近年、遊戯盤は拡大され、これに伴って、これらユニットや装置の小型化が求められている。
【００１８】
本発明は、前記従来の問題点を解決するべくなされたもので、遊戯機に対する不正を施す余地を狭めると共に、遊戯機への実装が容易になるようにすることができる制御基板一体型モータを提供することを課題とする。
【課題を解決するための手段】
【００１９】
本発明は、遊戯球を連続発射する機械機構を駆動するための発射モータと、前記連続発射の速度を設定する基準信号発生回路と、該連続発射速度に応じた回転速度で該発射モータが回転するように、該発射モータの励磁を制御する信号を出力する励磁信号発生回路と、該励磁制御信号に従って、該発射モータの励磁電流を制御する駆動回路との、少なくともこれら回路及び発射モータが、一体構造で構成され、又、少なくともこれら回路及び発射モータの間の配線が、外部に露出しないようにされていると共に、遊技機に内蔵され取り付けられた状態では、前記一体構造の分解、及び前記露出が、困難な構造とされる一方、遊技機から取り外された状態では、該分解及び該露出の少なくとも一部が、容易な構造とされ、遊技機に内蔵されることにより、前記課題を解決したものである。
【００２０】
以下、本発明の作用について、簡単に説明する。
【００２１】
本願発明では、前述した、基準信号発生回路４４と、励磁信号発生回路４６と、駆動回路４８との、少なくともこれら回路４４、４６、４８及び発射モータ１０１を、一体構造で構成する。従って、基準信号発生回路４４に対して不正に細工を施し、発射モータ１０１の回転速度を速くするような、不正な改造をする余地が、かなり狭められる。
【００２２】
又、該一体構造によれば、駆動回路４８から発射モータ１０１までのケーブルも、極めて短くなる。更には、これら回路４４、４６、４８及び発射モータの間の配線が、外部に露出しないようにしている。従って、遊戯機の外部から不正に加えられる高電圧や電波による悪影響が抑えられ、不正な改造をする余地を抑えることが可能である。
【００２３】
更に、このように一体構造とすることで、全体として小型化が可能であり、又取付ける装置やユニットの数を削減することができ、遊戯機に実装し易くなるという長所もある。
【００２４】
又、遊技機に内蔵され取り付けられた状態では、前記一体構造の分解、及び前記露出が、困難な構造とされる一方、遊技機から取り外された状態では、該分解及び該露出の少なくとも一部が、容易な構造とされる。このため、必要であれば、分解なども容易であり、保守も容易になる。
【発明の効果】
【００２５】
従って、遊戯機に対する不正を施す余地を狭めると共に、遊戯機への実装が容易になるようにすることができる制御基板一体型モータを提供することができる。
【発明を実施するための最良の形態】
【００２６】
以下、図を用いて本発明の実施の形態を詳細に説明する。
【００２７】
図５は、本願発明が適用された第１実施形態の制御基板一体型モータの制御構成を示すブロック図である。
【００２８】
本実施形態においては、モータ内蔵用発射制御基板６０において、前述した基準信号発生回路４４、励磁信号発生回路４６、駆動回路４８を設けるようにしている。又、該モータ内蔵用発射制御基板６０を発射モータ１０１と共に、一体構造として構成し、これによって、制御基板一体型モータ１として構成している。即ち、これら回路４４、４６、４８及び発射モータ１０１を、一体構造で構成する。又、該制御基板一体型モータ１が遊戯機に取り付けられた状態では、これら回路４４、４６、４８及び発射モータの間の配線が、外部に露出しないようにしている。従って、遊戯機の外部から不正に加えられる高電圧や電波による悪影響や、不正な改造をする余地を抑えることが可能である。
【００２９】
更に、該制御基板一体型モータ１は、外部の電源基板３２から電源の供給を受ける配線、及び、駆動ＯＮ／ＯＦＦ回路４２から発射信号を入力する配線のみ接続すればよい。該電源供給の配線と、該発射信号の配線とにおいて、グランド（接地側）を共通とすることも可能である。この場合は、電源配線と、発射信号の配線と、グランド（接地側）の配線とで、都合、３本の配線のみとすることも可能である。
【００３０】
図６は、本願発明が適用された第２実施形態の制御基板一体型モータの制御構成を示すブロック図である。
【００３１】
本実施形態の制御基板一体型モータ１では、前述した第１実施形態のモータ内蔵用発射制御基板６０に対して更に、補助電源回路５０と、リセット回路５２とを追加するようにしている。
【００３２】
補助電源回路５０は、基準信号発生回路４４、励磁信号発生回路４６、又リセット回路５２に供給する電圧安定度を向上するための、直流安定化電源となっている。この電圧安定度向上によって、これら回路４４、４６、５２の回路動作の安定度が向上されると共に、高周波ノイズに対する電源配線のインピーダンスが抑えられ、これによって、遊戯機の外部から不正に加えられる高電圧や電波による悪影響が抑制される。
【００３３】
リセット回路５２は、電源基板３２の電源供給の開始を検出して、該検出時に、励磁信号発生回路４６に対してリセット信号を出力する。該リセット信号を受けると該励磁信号発生回路４６は、内部処理を一旦初期化する。従って、このようなリセット回路５２を設けることで、発射モータ１０１の回転制御の信頼性を向上することができる。
【００３４】
なお、この第２実施形態についても、前述した第１実施形態と同様、制御基板一体型モータ１は、外部からの配線の数を抑えることが可能である。
【００３５】
図７は、以上に述べた第１実施形態又第２実施形態の制御基板一体型モータ１の一体構造の、第１例を示す横断面図である。又、図８及び図９は、該一体構造の、それぞれ、第２例、第３例を示す横断面図である。
【００３６】
これら図７〜図９のいずれにおいても、発射モータ１０１及び基板収納部６２は、ネジ６５によって一体になっている。又、該基板収納部６２には、モータ内蔵用発射制御基板６０が内蔵される。これら発射モータ１０１、モータ内蔵用発射制御基板６０、基板収納部６２を主として、制御基板一体型モータ１が構成されている。ケーブル７０は、モータ内蔵用発射制御基板６０を、電源基板３２や払出・発射制御基板４０と接続する配線を含み、前述した電源配線や発射信号配線を含んでいる。該ケーブル７０は、前述したような、電源配線と、発射信号の配線と、グランド（接地側）の配線との、都合、３本の配線による構成になっている。コネクタ部７２は、モータ内蔵用発射制御基板６０の駆動回路４８から発射モータ１０１に、励磁電流を供給するためのものである。
【００３７】
又、該制御基板一体型モータ１は、遊戯機の取付部位６４へとネジ止めで取り付けられる。すると、該取付部位６４によって、図示されるように、基板収納部６２は密封されることになる。
【００３８】
本実施形態において、遊戯機に取り付けられた状態での、一体構造の分解が困難な構造は、このようにして実現されている。即ち、該密封を開口するためには、工具を使って、取付部位６４へのネジ止めを緩め又取り外さねばならない。又、該開口をしなければ、工具の利用の有無を問わず上記の一体構造の分解はできず、本実施形態では例えば所定の工具を用いてネジ６５を緩めて該分解を行うことはできない。
【００３９】
又、本実施形態において、遊戯機に取り付けられた状態での、配線の露出が困難な構造
についても、上記密閉に係る構造により実現されている。即ち、工具を使って、前述の密封を開口しなければ、回路４４、４６、４８の配線や、これら回路４４、４６、４８及び発射モータの間の配線の露出が困難になり、これら配線に不正な信号を送り込むことが困難な構造となる。又、該密封を開口しなければ、上述のネジ６５を緩めて発射モータ１０１及び基板収納部６２を分解し、不正に、別のあるいは改造された、基板収納部６２や発射モータ１０１を組み合わせることがし難くなる。
【００４０】
あるいは、本実施形態において、遊戯機に取り外された状態での、一体構造の分解が容易な構造、更には、配線の少なくとも一部の露出がなされる構造は、制御基板一体型モータ１を遊戯機の取付部位６４から取り外せば、直ちに、上述の開口がなされることによって実現されている。即ち、開口すれば、直ちに、ネジ６５、モータ内蔵用発射制御基板６０の表面、コネクタ部７２などが露出する。従って、ネジ６５を緩めて取り外してモータ内蔵用発射制御基板６０や発射モータ１０１を交換したりすることができる。又、回路４４、４６、４８の配線や、これら回路４４、４６、４８及び発射モータの間の配線の内、少なくともその一部が露出するので、回路をテストするための信号を送り込むこともできる。このため、遊技機から取り外された状態では、必要であれば、順次分解していくことやテストすることなども容易であり、保守も容易になる。
【００４１】
以上のように、第１及び第２実施形態によれば、本願発明を効果的に適用することができる。
【産業上の利用可能性】
【００４２】
以上説明したとおり、本発明によれば、遊戯機に対する不正を施す余地を狭めると共に、遊戯機への実装が容易になるようにすることができる制御基板一体型モータを提供することができる。
【図面の簡単な説明】
【００４３】
【図１】一般的な従来例である遊技機の一例の正面図。
【図２】遊戯盤を含めた前面の全体に及ぶ扉部を開いた、該遊技機の正面図。
【図３】前記従来例の発射制御基板を中心とした制御構成を示すブロック図。
【図４】前記従来例の発射制御基板及び発射モータの外見を示す図。
【図５】本願発明が適用された第１実施形態の制御基板一体型モータの制御構成を示すブロック図。
【図６】本願発明が適用された第２実施形態の制御基板一体型モータの制御構成を示すブロック図。
【図７】前記第１実施形態又前記第２実施形態の制御基板一体型モータの一体構造の第１例を示す横断面図。
【図８】該一体構造の第２例を示す横断面図。
【図９】該一体構造の第３例を示す横断面図。
【符号の説明】
【００４４】
１…制御基板一体型モータ
２０…ハンドル・タッチスイッチ
２１…一時停止スイッチ
３０…主基板
３２…電源基板
３４…払出制御回路
４０…払出・発射制御基板
４２…駆動ＯＮ／ＯＦＦ回路
４４…基準信号発生回路
４６…励磁信号発生回路
４８…駆動回路
５０…補助電源回路
５２…リセット回路
６０…モータ内蔵用発射制御基板
６２…基板収納部
６４…取付部位
７０…ケーブル
７２…コネクタ部
８８…払出制御基板
１００…発射装置
１０１…発射モータ
１０１ａ…回転軸
１０１ｂ…コネクタ
１０４…発射制御基板
【図１】
2007029285.tif 000003
【図２】
2007029285.tif 000004
【図３】
2007029285.tif 000005
【図４】
2007029285.tif 000006
【図５】
2007029285.tif 000007
【図６】
2007029285.tif 000008
【図７】
2007029285.tif 000009
【図８】
2007029285.tif 000010
【図９】
2007029285.tif 000011